(57)【特許請求の範囲】
【請求項１】
ディスクメディアに記録されたデータを再生する機能、及び前記ディスクメディア以外の外部メディアに記録されたデータを再生する、あるいは外部デバイスよりデータを再生する機能を有するデータ再生装置であって、
前記ディスクメディア上に記録されているデータを読み出すディスク読み出し部と、
前記外部メディアあるいは前記外部デバイスからデータを取り込む外部データ取り込み部と、
前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、
前記ディスク読み出し部にて読み出したディスクメディアからの再生データ、あるいは前記外部データ取り込み部にて取り込んだ前記外部メディアあるいは前記外部デバイスからの再生データを前記メモリに書き込む書き込み制御部と、
前記メモリに書き込まれた再生データを読み出す読み出し制御部とを備え、
前記書き込み制御部は、前記ディスクメディアからの再生データ、あるいは前記外部メディアあるいは前記外部デバイスからの再生データの前記メモリへの書き込みを行う際、前記メモリ上のデータ格納形式が互いに同じ格納形式となるように行う、
ことを特徴するデータ再生装置。
【請求項２】
請求項１に記載のデータ再生装置において、
前記書き込み制御部は、前記外部メディアあるいは前記外部デバイスに記録された再生データが圧縮データのフォーマットの場合、前記再生データを前記メモリに書き込む際に、該圧縮データのフォーマットにおけるユーザデータのみを書き込むものであり、
前記メモリに書き込まれた前記圧縮データを読み出した際、該圧縮データをデコードし、該デコードしたデータを再生データとして出力する圧縮デコーダを備えた、
ことを特徴とするデータ再生装置。
【請求項３】
ディスクメディアに記録されたデータを再生する機能、及び前記ディスクメディア以外の外部メディアに記録されたデータを再生する、あるいは外部デバイスよりデータを再生する機能を有するデータ再生装置であって、
前記ディスクメディア上に記録されているデータを読み出すディスク読み出し部と、
前記外部メディアあるいは前記外部デバイスからデータを取り込む外部データ取り込み部と、
前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、
前記ディスク読み出し部にて読み出した前記ディスクメディアからの再生データ、あるいは前記外部データ取り込み部にて取り込んだ前記外部メディアあるいは前記外部デバイスからの再生データとをメモリに書き込む書き込み制御部と、
前記メモリに書き込まれた再生データの読み出し制御を行う読み出し制御部と、
前記メモリに書き込まれた再生データを読み出す際、前記ディスク読み出し部からの読み出し再生データと、前記外部デバイスあるいは前記外部メディアからの再生データとを判別するデータ判別部とを備え、
前記読み出し制御部は、
読み出すデータが前記データ判別部により、前記外部デバイスあるいは前記外部メディアからの再生データと判別された場合、必要なユーザデータのみを選択して読み出す、
ことを特徴とするデータ再生装置。
【請求項４】
請求項３に記載のデータ再生装置において、
前記書き込み制御部は、
前記ディスクメディアからの再生データ、あるいは前記外部メディアあるいは前記外部デバイスからの再生データを、該再生データに該再生データの識別情報を含むよう前記メモリに書き込むものであり、
前記読み出し制御部は、
前記識別情報により判別した再生データが、前記ディスクメディアからの再生データであるか、前記外部メディアあるいは前記外部デバイスからの再生データであるかに応じて該再生データの読み出しを行う、
ことを特徴とするデータ再生装置。
【発明の詳細な説明】
【技術分野】
【０００１】
本発明は、ＣＤ、ＤＶＤ等のディスクメディア上に記録されたデータを読み出すためのデータ再生装置に関し、特に、例えば、ＵＳＢデバイスやＳＤメモリなどディスク以外の外部デバイスあるいは外部メディアからの再生データの読み出しに対しても効率よく読み出せる機能を具備したものに関するものである。
【背景技術】
【０００２】
図１０は、ディスクに記録されたデータを再生する従来のデータ再生装置を示す図である。
図において、従来のデータ再生装置１０００は、螺旋状もしくは同心円状のトラックに情報記号が記録されている光ディスク１００１の情報面に光ビームを集光して光スポットを形成し、その反射光を検出することによって各種情報を出力する光ピックアップ１００２と、光ピックアップ１００２から出力された情報をもとに再生データを読み出すディスク読み出し部１００３と、光ディスク１００１からの再生データを一時格納しておくディスク再生時の耐震用途に使用するメモリ１００４と、ディスク読み出し部１００３で読み出された再生データをメモリに書き込む書き込み制御部１００５と、再生データをメモリ１００４から読み出す読み出し制御部１００６とから構成される。
【０００３】
上記のように構成されたデータ再生装置において、ディスク以外からの再生データを読み出すためには、図示しない光ケーブルにより接続される、外部メディア用のコントローラを搭載したデータ転送装置（例えば、特許文献１参照）を用いる。このデータ転送装置では、外部メディアからの再生データをオーディオ機器に転送するためにコントローラを備え、データ再生装置では、データ転送装置を介することにより、外部メディアから時間的に連続しているオーディオデータの再生を行なっている。
【０００４】
これに対し、ＣＤ、ＤＶＤ等のディスク上に記録されたデータを読み出すためのデータ再生装置において、ディスク以外のメディアからの再生データに対しても、読み出すことが出来る機器が求められている。
【特許文献１】特開２００２−９１８９６号公報
【発明の開示】
【発明が解決しようとする課題】
【０００５】
従来のデータ再生装置では、外部メディアからのデータを再生するためには、以上のようにデータ転送装置を介してデータを再生する構成となっており、また、ＣＤ、ＤＶＤ等のディスク上に記録されたデータを読み出す再生装置において、外部メディアからの再生データに対しても、読み出し可能とするためには、ディスクからのデータの再生装置に、外部メディアからのデータの再生装置を追加する必要があり、非効率的であるという問題点があった。
【０００６】
また、再生制御を行なうマイコンにおいて、ＣＤ、ＤＶＤ等のディスクの再生制御と外部メディアの再生制御を共に行なう必要があり、負荷が重くなってしまうという問題点があった。
【０００７】
本発明は、以上のような問題点を解消するためになされたものであり、ＣＤ、ＤＶＤ等のディスクの再生装置に、外部メディアからのデータの再生装置を効率よく付加することができるデータ再生装置を提供することを目的とする。
【課題を解決するための手段】
【０００８】
この課題を解決するために、本発明の請求項１に係るデータ再生装置は、ディスクメディアに記録されたデータを再生する機能、及び前記ディスクメディア以外の外部メディアに記録されたデータを再生する、あるいは外部デバイスよりデータを再生する機能を有するデータ再生装置であって、前記ディスクメディア上に記録されているデータを読み出すディスク読み出し部と、前記外部メディアあるいは前記外部デバイスからデータを取り込む外部データ取り込み部と、前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、前記ディスク読み出し部にて読み出したディスクメディアからの再生データ、あるいは前記外部データ取り込み部にて取り込んだ前記外部メディアあるいは前記外部デバイスからの再生データを前記メモリに書き込む書き込み制御部と、前記メモリに書き込まれた再生データを読み出す読み出し制御部とを備え、前記書き込み制御部は、前記ディスクメディアからの再生データ、あるいは前記外部メディアあるいは前記外部デバイスからの再生データの前記メモリへの書き込みを行う際、前記メモリ上のデータ格納形式が互いに同じ格納形式となるように行うことを特徴するものである。
【０００９】
また、本発明の請求項２に係るデータ再生装置は、請求項１に記載のデータ再生装置において、前記書き込み制御部は、前記外部メディアあるいは前記外部デバイスに記録された再生データが圧縮データのフォーマットの場合、前記再生データを前記メモリに書き込む際に、該圧縮データのフォーマットにおけるユーザデータのみを書き込むものであり、前記メモリに書き込まれた前記圧縮データを読み出した際、該圧縮データをデコードし、該デコードしたデータを再生データとして出力する圧縮デコーダを備えたことを特徴とするものである。
【００１０】
また、本発明の請求項３に係るデータ再生装置は、ディスクメディアに記録されたデータを再生する機能、及び前記ディスクメディア以外の外部メディアに記録されたデータを再生する、あるいは外部デバイスよりデータを再生する機能を有するデータ再生装置であって、前記ディスクメディア上に記録されているデータを読み出すディスク読み出し部と、前記外部メディアあるいは前記外部デバイスからデータを取り込む外部データ取り込み部と、前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、前記ディスク読み出し部にて読み出した前記ディスクメディアからの再生データ、あるいは前記外部データ取り込み部にて取り込んだ前記外部メディアあるいは前記外部デバイスからの再生データとをメモリに書き込む書き込み制御部と、前記メモリに書き込まれた再生データの読み出し制御を行う読み出し制御部と、前記メモリに書き込まれた再生データを読み出す際、前記ディスク読み出し部からの読み出し再生データと、前記外部デバイスあるいは前記外部メディアからの再生データとを判別するデータ判別部とを備え、前記読み出し制御部は、読み出すデータが前記データ判別部により、前記外部デバイスあるいは前記外部メディアからの再生データと判別された場合、必要なユーザデータのみを選択して読み出すことを特徴とするものである。
【００１１】
また、本発明の請求項４に係るデータ再生装置は、請求項３に記載のデータ再生装置において、前記書き込み制御部は、前記ディスクメディアからの再生データ、あるいは前記外部メディアあるいは前記外部デバイスからの再生データを、該再生データに該再生データの識別情報を含むよう前記メモリに書き込むものであり、前記読み出し制御部は、前記識別情報により判別した再生データが、前記ディスクメディアからの再生データであるか、前記外部メディアあるいは前記外部デバイスからの再生データであるかに応じて該再生データの読み出しを行うことを特徴とするものである。
【発明の効果】
【００１２】
本発明の請求項１に係るデータ再生装置によれば、ディスクメディアに記録されたデータを再生する機能、及び前記ディスクメディア以外の外部メディアに記録されたデータを再生する、あるいは外部デバイスよりデータを再生する機能を有するデータ再生装置であって、前記ディスクメディア上に記録されているデータを読み出すディスク読み出し部と、前記外部メディアあるいは前記外部デバイスからデータを取り込む外部データ取り込み部と、前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、前記ディスク読み出し部にて読み出したディスクメディアからの再生データ、あるいは前記外部データ取り込み部にて取り込んだ前記外部メディアあるいは前記外部デバイスからの再生データを前記メモリに書き込む書き込み制御部と、前記メモリに書き込まれた再生データを読み出す読み出し制御部とを備え、前記書き込み制御部は、前記ディスクメディアからの再生データ、あるいは前記外部メディアあるいは前記外部デバイスからの再生データの前記メモリへの書き込みを行う際、前記メモリ上のデータ格納形式が互いに同じ格納形式となるように行うようにしたので、書き込み制御部を共用でき、効率のよい回路を提供可能となる効果がある。
【００１３】
また、外部メディアに記録されたデータを再生する、あるいは外部デバイスよりデータを再生する場合において、ディスクメディアのデータ再生時と同等制御で実現可能となるために、マイコンでの制御が容易に実現でき、負荷が軽減可能となる効果がある。
【００１４】
また、本発明の請求項２に係るデータ再生装置によれば、請求項１に記載のデータ再生装置において、前記書き込み制御部は、前記外部メディアあるいは前記外部デバイスに記録された再生データが圧縮データのフォーマットの場合、前記再生データを前記メモリに書き込む際に、該圧縮データのフォーマットにおけるユーザデータのみを書き込むものであり、前記メモリに書き込まれた前記圧縮データを読み出した際、該圧縮データをデコードし、該デコードしたデータを再生データとして出力する圧縮デコーダを備えたので、ディスクメディアのデータ再生時と同等制御で、前記メモリからの圧縮オーディオ再生が可能となり、マイコンでの制御が容易に実現でき、負荷が軽減可能となる効果がある。
【００１５】
また、本発明の請求項３に係るデータ再生装置によれば、ディスクメディアに記録されたデータを再生する機能、及び前記ディスクメディア以外の外部メディアに記録されたデータを再生する、あるいは外部デバイスよりデータを再生する機能を有するデータ再生装置であって、前記ディスクメディア上に記録されているデータを読み出すディスク読み出し部と、前記外部メディアあるいは前記外部デバイスからデータを取り込む外部データ取り込み部と、前記ディスク読み出し部にて読み出した前記ディスクメディアからの再生データ、あるいは前記外部データ取り込み部にて取り込んだ前記外部メディアあるいは前記外部デバイスからの再生データを一時的に記憶するメモリと、前記ディスク読み出し部にて読み出した前記ディスクメディアからの再生データ、あるいは前記外部データ取り込み部にて取り込んだ前記外部メディアあるいは前記外部デバイスからの再生データとをメモリに書き込む書き込み制御部と、前記メモリに書き込まれた再生データの読み出し制御を行う読み出し制御部と、前記メモリに書き込まれた再生データを読み出す際、前記ディスク読み出し部からの読み出し再生データと、前記外部デバイスあるいは前記外部メディアからの再生データとを判別するデータ判別部とを備え、前記読み出し制御部は、読み出すデータが前記データ判別部により、前記外部デバイスあるいは前記外部メディアからの再生データと判別された場合、必要なユーザデータのみを選択して読み出すようにしたので、外部メディアあるいは前記外部デバイスからの再生データは、そのまま前記メモリに転送することが可能となり、前記書き込み制御部による書き込み制御が容易となる効果があり、また、読み出し制御を別プロセッサで行うようなシステムでは、書き込み制御を行うマイコンの負荷を別のプロセッサで分担して行うことが可能となり、効率のよいシステムを提供することが可能となる効果がある。
【００１６】
また、本発明の請求項４に係るデータ再生装置によれば、請求項３に記載のデータ再生装置において、前記書き込み制御部は、前記ディスクメディアからの再生データ、あるいは前記外部メディアあるいは前記外部デバイスからの再生データを、該再生データに該再生データの識別情報を含むよう前記メモリに書き込むものであり、前記読み出し制御部は、前記識別情報により判別した再生データが、前記ディスクメディアからの再生データであるか、前記外部メディアあるいは前記外部デバイスからの再生データであるかに応じて該再生データの読み出しを行うようにしたので、前記読み出し制御部で、再生データの判別を行うことが容易にでき、読み出し制御の負荷が軽減可能となる効果がある。
【発明を実施するための最良の形態】
【００１７】
以下、この発明の実施の形態について、図面に基づいて具体的に説明する。
（実施の形態１）
図１は本発明の実施の形態１に係るデータ再生装置のブロック構成図を示している。
図１において、本実施の形態１に係るデータ再生装置１００は、螺旋状もしくは同心円状のトラックに情報記号が記録されている光ディスク（ディスクメディア）１０１の情報面に光ビームを集光して光スポットを形成し、その反射光を検出することによって各種情報を出力する光ピックアップ１０２と、オーディオ再生データが格納されている外部ＵＳＢデバイス１０３と、光ピックアップ１０２から出力された情報をもとに再生データを読み出すディスク読み出し部１０４と、外部ＵＳＢデバイス（外部デバイス）１０３からの再生データを取り込む外部データ取り込み部１０５と、ディスク再生時の耐震用途に使用し、光ディスク１０１からの再生データ、あるいは外部ＵＳＢデバイス１０３からの再生データを一時格納しておくメモリ１０６と、ディスク読み出し部１０４からの再生データと外部データ取り込み部１０５からの再生データとを切り換えて、メモリ１０６上のデータ格納形式が互いに同じ格納形式となるように書き込み制御を行う書き込み制御部１０７と、再生データをメモリ１０６から読み出す読み出し制御部１０８とから構成される。
【００１８】
本実施の形態１のデータ再生装置１００において、光ディスク１０１、及び外部ＵＳＢデバイス１０３から読み出す再生データは、ＣＤ−ＤＡフォーマットとしている。ＣＤ−ＤＡ形式の場合のセクタ構成は、図２に示すように、同期パターン、サブコード、データおよびパリティの５８８ｂｉｔで構成されるものがフレーム単位となり、９８フレームのデータをブロック単位として構成しており、２３５２ｂｙｔｅのデータを１ブロックとして扱っている。
【００１９】
また、書き込み制御部１０７は、光ディスク１０１、あるいは外部ＵＳＢデバイス１０３からのＣＤ−ＤＡフォーマットの再生データをメモリ１０６に格納する際、図３に示すような、１ブロック単位のメモリ１０６のデータ格納形式のように、１ブロック単位のデータを、図２に示す２３５２ｂｙｔｅのオーディオデータに、オーディオデータ中に含まれるサブコード情報などを別途付加させて、メモリ６へ格納するようにしている。
【００２０】
次に、本実施の形態１に係るデータ再生装置の動作について説明する。
まず、ＣＤ−ＤＡフォーマットのデータが記録された光ディスク１０１からデータを再生する動作について以下に示す。
光ディスク１０１には、図２の記載のように構成されたブロック単位でデータが記録されており、ピックアップ１０２からの出力データをディスク読み出し部１０４にて再生データの読み出しを行い、書き込み制御部１０７へ再生データを送る。再生データを受け取った書き込み制御部１０７は、光ディスク１０１の再生を行うとき、ディスク読み出し部１０４からのデータをメモリ１０６へ格納するように制御を行う。その際、書き込み制御部１０７では、図２に記載のデータに対し、読み出しの制御を容易にするために、図３に記載のフォーマットに変換し、該フォーマット変換後の再生データをメモリ１０６に書き込む。メモリ１０６に書き込まれたデータは読み出し制御部１０８によって読み出され、オーディオ出力として出力される。
【００２１】
次に、外部ＵＳＢデバイス１０３よりＣＤ−ＤＡフォーマットのデータを再生する動作について以下に示す。
外部ＵＳＢデバイス１０３には、ディスク１０１と同じく、図２の記載のように構成されたブロック単位でデータが記録されており、外部データ取り込み部１０５において、再生データが取り込まれ、書き込み制御部１０７へ再生データを送る。再生データを受け取った書き込み制御部１０７は、外部ＵＳＢデバイス１０３からのデータの再生を行うとき、外部データ取り込み部１０５からのデータをメモリ１０６へ格納するように制御を行う。その際、書き込み制御部１０７では、光ディスク１０１の再生時と同様に、図２に記載のデータに対し、読み出しの制御を容易にするために、図３に記載のフォーマットに変換し、該フォーマット変換後の再生データをメモリ１０６に書き込む。メモリ１０６に書き込まれたデータは読み出し制御部１０８によって読み出され、オーディオ出力として出力される。
【００２２】
以上のように、本実施の形態１に係る再生装置によれば、書き込み制御部１０７により、光ディスク１０１からの再生データ、あるいは外部ＵＳＢデバイス１０３からの再生データのメモリ１０６への書き込みを、該両書き込みの際のメモリ１０６上のデータ格納形式が互いに同じ格納形式となるように行うので、光ディスク１０１からのデータを再生する機能および外部ＵＳＢデバイス１０３からのデータを再生する機能を有するデータ再生装置を実現する場合において、書き込み制御部を共用化することができ、回路の効率化を図ることが可能となる。また、書き込み制御部１０７は、光ディスク１０１からの再生データ、及び外部ＵＳＢデバイス１０３からの再生データの書き込みを、メモリ１０６に対し、図３に記載のようにメモリ１０６上のデータ格納形式が互いに同じ格納形式となるように行うので、読み出し制御部１０８による読み出し制御においても、ディスク１０１再生時と外部ＵＳＢデバイス１０３再生時とにおいて同様の方法で行なうことが可能となる。書き込み制御および読み出し制御を、光ディスク１０１からのデータおよび外部デバイスからのデータともに同様の方法で行うことができるので、システム全体を制御するマイコンの負荷を軽減し、光ディスク１０１からのデータを再生する機能および外部ＵＳＢデバイス１０３よりデータを再生する機能を有するデータ再生装置の実現を容易にすることができる。
【００２３】
なお、本実施の形態１では、外部ＵＳＢデバイスを用いた例について説明したが、これに限るものではなく、例えば、ＳＤメモリカードなど他のストレージメディア（外部メディア）を含む記憶装置で実現してもよい。
【００２４】
さらに、実施の形態１の例では、ＣＤ−ＤＡオーディオデータの再生について説明したが、ＣＤ−ＲＯＭデータの再生など他のフォーマットの再生データであっても、同様の効果が得られることは言うまでもない。
【００２５】
さらに、実施の形態１の例では、ディスクメディアとして、光ディスクを使用する場合について説明を行ったが、光磁気ディスク、磁気ディスクなどを使用するデータ再生装置であっても同様の効果が得られることは言うまでもない。
【００２６】
（実施の形態２）
本実施の形態２に係るデータ再生装置４００は、ＣＤ−ＤＡフォーマット、ＣＤ−ＲＯＭフォーマット等で記録された光ディスク４０１のデータの再生が可能なデータ再生装置において、光ディスクからのデータを再生する機能および外部ＵＳＢデバイスよりデータを再生する機能を有することができ、かつ、回路の効率化を図るために、光ディスクからの再生データのメモリへの書き込みと、外部ＵＳＢデバイスからの再生データのメモリへの書き込みとを同様の方法で行なうようにしたものである。
【００２７】
次に本発明の実施の形態２に係るデータ再生装置について説明する。
図４は本発明の実施の形態２によるデータ再生装置のブロック構成図を示している。
図４において、本実施の形態２に係る再生装置４００は、螺旋状もしくは同心円状のトラックに情報記号が記録されている光ディスク（ディスクメディア）４０１の情報面に光ビームを集光して光スポットを形成し、その反射光を検出することによって各種情報を出力する光ピックアップ４０２と、ＣＤ−ＤＡフォーマットのデータ、あるいはＣＤ−ＲＯＭフォーマットのデータ（圧縮オーディオデータ）が格納されている外部ＵＳＢデバイス（外部デバイス）４０３と、光ピックアップ４０２から出力された情報をもとに再生データを読み出すディスク読み出し部４０４と、外部ＵＳＢデバイス４０３からの再生データを取り込む外部データ取り込み部４０５と、光ディスク４０１からの再生データ、あるいは外部ＵＳＢデバイス４０３からの再生データを一時格納しておくディスク再生時の耐震用途に使用するメモリ４０６と、ディスク読み出し部４０４からの再生データと外部データ取り込み部４０５からの再生データとを切り換えて、メモリ４０６上のデータ格納形式が互いに同じ格納形式となるように制御を行う書き込み制御部４０７と、再生データをメモリ４０６から読み出す読み出し制御部４０８と、圧縮されたオーディオデータをデコード処理し、オーディオデータとして出力させる圧縮デコーダ４０９とから構成される。
【００２８】
本実施の形態２のデータ再生装置において、光ディスク４０１、及び外部ＵＳＢデバイス４０３から読み出す再生データは、ＣＤ−ＤＡフォーマットあるいはＣＤ−ＲＯＭフォーマットのデータとしている。ＣＤ−ＤＡフォーマットは、図２と同様の構成とし、ＣＤ−ＲＯＭフォーマットは、図５の１サブコーディングフレームのフォーマットに示すように、ＣＤ−ＲＯＭのモード１のフォーマットとする。
【００２９】
また、書き込み制御部４０７は、光ディスク４０１、あるいは外部ＵＳＢデバイス４０３からのＣＤ−ＤＡフォーマットの再生データをメモリ４０６に格納する際、図３に示すような、１ブロック単位のメモリ４０６のデータ格納形式のように、１ブロック単位のデータを、図２に示す２３５２ｂｙｔｅのオーディオデータに、オーディオデータ中に含まれるサブコード情報などを別途付加させて、メモリ４０６へ格納するようにしている。
【００３０】
また、書き込み制御部４０７は、光ディスク４０１、あるいは外部ＵＳＢデバイス４０３からのＣＤ−ＲＯＭフォーマットの再生データをメモリ４０６に格納する際、ＣＤ−ＲＯＭ訂正を行い、図５に記載のフォーマットのうち、ユーザデータ２０４８ｂｙｔｅのみをメモリ４０６へ格納する。
【００３１】
次に本実施の形態２に係るデータ再生装置４００の再生動作について説明する。
まず、ＣＤ−ＤＡあるいはＣＤ−ＲＯＭフォーマットのデータが記録された光ディスク４０１からのデータを再生する動作について以下に示す。
光ディスク４０１には、図２に記載のＣＤ−ＤＡフォーマット、あるいは図５の記載のように構成されたＣＤ−ＲＯＭフォーマットのデータが記録されており、ピックアップ４０２からの出力データをディスク読み出し部４０４にて再生データの読み出しを行い、書き込み制御部４０７へ再生データを送る。再生データを受け取った書き込み制御部４０７は、光ディスク４０１の再生を行うとき、ディスク読み出し部４０４からのデータをメモリ４０６へ格納するように制御を行う。その際、書き込み制御部４０７では、光ディスク４０１に記録されたデータがＣＤ−ＤＡフォーマットのデータの場合は、実施の形態１と同様、読み出しの制御を容易にするために、図２に記載のフォーマットを図３に記載のフォーマットに変換し、該フォーマット変換後の再生データをメモリ４０６に書き込む。そして、メモリ４０６に書き込まれたデータは、読み出し制御部４０８によって読み出され、オーディオ出力として出力される。また、書き込み制御部４０７では、光ディスク４０１に記録されたデータがＣＤ−ＲＯＭフォーマットのデータの場合は、ＣＤ−ＲＯＭ訂正処理を行い、訂正後のデータに対して、読み出しの制御を容易にするために、図５の記載のように構成されたフォーマットのうち、ユーザデータ２０４８ｂｙｔｅのみをメモリ４０６に書き込む。そしてメモリ４０６に書き込まれたデータは読み出し制御部４０８に読み出された後、圧縮デコーダ４０９によってデコード処理され、オーディオ出力として出力される。
【００３２】
次に、外部ＵＳＢデバイス４０３よりＣＤ−ＤＡあるいはＣＤ−ＲＯＭフォーマットのデータを再生する動作について以下に示す。
外部ＵＳＢデバイス４０３には、ディスク４０１と同様、図２あるいは図５の記載のように構成されたブロック単位でデータが記録されており、外部データ取り込み部４０５において、再生データが取り込まれ、書き込み制御部４０７へ再生データを送る。再生データを受け取った書き込み制御部４０７は、外部ＵＳＢデバイス４０３からのデータの再生を行うとき、外部データ取り込み部４０５からのデータをメモリ４０６に書き込む。その際、書き込み制御部４０７では、外部ＵＳＢデバイス４０３に記録されたデータがＣＤ−ＤＡフォーマットのデータの場合は、実施の形態１と同様、読み出しの制御を容易にするために、図２に記載のフォーマットを図３に記載のフォーマットに変換し、該フォーマットを変換した再生データをメモリ４０６に書き込む。そして、メモリ４０６に書き込まれたデータは、読み出し制御部４０８によって読み出され、オーディオ出力として出力される。また、書き込み制御部４０７では、外部ＵＳＢデバイス４０３に記録されたデータがＣＤ−ＲＯＭフォーマットのデータの場合は、光ディスク４０１の再生時と同様に、ＣＤ−ＲＯＭ訂正処理を行い、訂正後のデータに対して、読み出しの制御を容易にするために、図５の記載のように構成されたフォーマットのうち、ユーザデータ２０４８ｂｙｔｅのみをメモリ４０６に書き込む。そして、メモリ４０６に書き込まれたデータは読み出し制御部４０８に読み出された後、圧縮デコーダ４０９によってデコード処理され、オーディオ出力として出力される。
【００３３】
また、外部ＵＳＢデバイス４０３にＣＤ−ＲＯＭ訂正後のユーザデータのみが格納されている場合は、外部データ取り込み部４０５において、ユーザデータが取り込まれ、書き込み制御部４０７へユーザデータを送る。外部ＵＳＢデバイス４０３からのデータの再生を行うとき、ユーザデータを受け取った書き込み制御部４０７は、このユーザデータをメモリ４０６に書き込む。その際、書き込み制御部４０７においては、ＣＤ−ＲＯＭ訂正処理は必要なく、また、必要なユーザデータのみが送られてくるので、そのままメモリ４０６に書き込みを行う。メモリ４０６に書き込まれたデータは読み出し制御部４０８に読み出された後、圧縮デコーダ４０９によってデコード処理され、オーディオ出力として出力される。
【００３４】
このように、本実施の形態２に係るデータ再生装置において、書き込み制御部４０７により、光ディスク４０１からの再生データ、あるいは外部ＵＳＢデバイス４０３からの再生データのメモリ４０６への書き込みは、該両書き込みの際のメモリ４０６上のデータ格納形式が互いに同じ格納形式となるように行われる。
【００３５】
以上のように、本実施の形態２に係るデータ再生装置によれば、ＣＤ−ＤＡフォーマットのデータを再生する際の、書き込み制御部４０７による、光ディスク４０１からの再生データのメモリ４０６への書き込み、及び外部ＵＳＢデバイス４０３からの再生データのメモリ４０６への書き込みを同様の方法で行うようにするとともに、ＣＤ−ＲＯＭフォーマットのデータを再生する際の、書き込み制御部４０７による、光ディスク４０１からの再生データのメモリ４０６への書き込み、及び外部ＵＳＢデバイス４０３からの再生データのメモリ４０６への書き込みを、ＣＤ−ＲＯＭ訂正処理をも含めて同様の方法で行うようにしたので、光ディスク４０１のデータを再生する機能および外部ＵＳＢデバイス４０３のデータを再生する機能を有するデータ再生装置を実現する場合において、書き込み制御部４０７を共用化することができ、回路の効率化を図ることが可能となる。また、ＣＤ−ＲＯＭフォーマットのデータを再生する際、書き込み制御部４０７は、メモリ４０６に対し、光ディスク４０１からのデータの再生と外部ＵＳＢデバイス４０３からのデータの再生において、共にユーザデータのみを格納するようにし、データ格納形式が互いに同じ格納形式となるように制御したので、読み出し制御部４０８及び圧縮デコーダ４０９の動作においても、光ディスク４０１からのデータの再生時と外部ＵＳＢデバイス４０３からのデータの再生時とにおいて同様の方法で行うことができる。また、書き込み制御および読み出し制御を、光ディスク４０１からのデータの再生時および外部デバイスからのデータの再生時ともに同様の方法で行うことができるので、システム全体を制御するマイコンの負荷を軽減し、ディスク４０１のデータを再生する機能と外部ＵＳＢデバイス４０３よりデータを再生する機能とを有するデータ再生装置の実現を容易にすることができる。
【００３６】
また、外部ＵＳＢデバイスにＣＤ−ＲＯＭ訂正後のデータが格納されている場合、書き込み制御部４０７はそのままにデータをメモリに格納するだけで、メモリ４０６に対してのデータ格納形式が互いに同じ格納形式となるように制御できる。その場合においても、圧縮デコーダ４０９の動作において互いに同様の方法で行なうことができる。
【００３７】
なお、本実施の形態２では、外部ＵＳＢデバイスを用いた例について説明したが、これに限るものではなく、例えば、ＳＤメモリカードなど他のストレージメディア（外部メディア）を含む記憶装置で実現してもよい。
【００３８】
また、本実施の形態２では、ＣＤ−ＤＡフォーマットのデータを再生する場合、メモリ４０６から読み出し制御部４０８で読み出したデータをオーディオ出力として出力し、ＣＤ−ＲＯＭフォーマットのデータを再生する場合、メモリ４０６から圧縮されたデータを読み出し制御部４０８で読み出した後、圧縮デコードする再生装置について説明したが、ＣＤ−ＲＯＭフォーマットのデータのみを再生するような構成にしてもよい。
【００３９】
さらに、本実施の形態２では、ＣＤ−ＤＡフォーマット、及びＣＤ−ＲＯＭのモード１のフォーマットのデータ再生について説明したが、ＣＤ−ＲＯＭのモード２のフォーマットなどその他のフォーマットのデータ再生においても同様の効果が得られることは言うまでもない。
【００４０】
さらに、実施の形態２の例では、ディスクメディアとして、光ディスクを使用する場合について説明を行ったが、光磁気ディスク、磁気ディスクなどを使用するディスク再生装置であっても同様の効果が得られることは言うまでもない。
【００４１】
（実施の形態３）
本発明の実施の形態３に係るデータ再生装置について説明する。
図６は本発明の実施の形態３によるデータ再生装置のブロック構成図を示している。
図６において、本実施の形態３に係るデータ再生装置６００は、螺旋状もしくは同心円状のトラックに情報記号が記録されている光ディスク（ディスクメディア）６０１の情報面に光ビームを集光して光スポットを形成し、その反射光を検出することによって各種情報を出力する光ピックアップ６０２と、オーディオ再生データが格納されている外部ＵＳＢデバイス（外部デバイス）６０３と、光ピックアップ６０２から出力された情報をもとに再生データを読み出すディスク読み出し部６０４と、外部ＵＳＢデバイス６０３からの再生データを取り込む外部データ取り込み部６０５と、光ディスク６０１からの再生データ、あるいは外部ＵＳＢデバイス６０３からの再生データを一時格納しておくディスク再生時の耐震用途に使用するメモリ６０６と、ディスク読み出し部６０４からの再生データと外部データ取り込み部６０５からの再生データとを切り換えて、メモリ６０６へデータ書き込み制御を行う書き込み制御部６０７と、光ディスク６０１からの再生データと外部ＵＳＢデバイス６０３からの再生データとを判別するデータ判別部６１０と、データ判別部６１０からの情報に応じて光ディスク６０１からの再生データと外部ＵＳＢデバイス６０３からの再生データとで読み出し制御を切り換える読み出し制御部６０８と、圧縮されたオーディオデータをデコード処理し、オーディオデータとして出力させる圧縮デコーダ６０９とから構成される。
【００４２】
本実施の形態３のデータ再生装置において、光ディスク６０１、及び外部ＵＳＢデバイス６０３から読み出す再生データは、ＣＤ−ＲＯＭフォーマットとしている。ＣＤ−ＲＯＭフォーマットは、図７の１サブコーディングフレームのフォーマットに示すように、ＣＤ−ＲＯＭのモード１のフォーマットとする。
【００４３】
次に、本実施の形態３に係るデータ再生装置のデータ再生動作について説明する。
まず、ＣＤ−ＲＯＭフォーマットのデータが記録された光ディスク６０１からのデータを再生する動作について以下に示す。
【００４４】
光ディスク６０１には、図７に記載のようなＣＤ−ＲＯＭフォーマットのデータが記録されており、ピックアップ６０２からの出力データをディスク読み出し部６０４にて再生データの読み出しを行い、書き込み制御部６０７へ再生データを送る。再生データを受け取った書き込み制御部６０７は、ディスクの再生を行っているとき、ディスク読み出し部６０４からのデータをメモリ６に書き込む。その際、書き込み制御部６０７では、ＣＤ−ＲＯＭ訂正処理を行い、訂正後のデータに対して、図７の記載のように構成されたフォーマットのうち、ユーザデータ２０４８ｂｙｔｅのみをメモリ６０６に書き込む。メモリ６０６に書き込まれたデータを読み出す際、データ判別部６１０によって、読み出したデータが必要なユーザデータのみ格納されていることを確認することで、光ディスク６０１からの再生データと判別し、読み出し制御部４０８へ光ディスク６０１からの再生データであることを伝える。読み出し制御部４０８はディスクからの再生データとして必要なユーザデータのみを読み出した後、圧縮デコーダ６０９でデコード処理を行い、必要なユーザデータのみをそのままオーディオ出力として出力する。
【００４５】
次に、外部ＵＳＢデバイス６０３よりＣＤ−ＲＯＭフォーマットのデータを再生する動作について以下に示す。
外部ＵＳＢデバイス６０３には、光ディスク６０１と同じく、図７の記載のように構成されたブロック単位でデータが記録されており、外部データ取り込み部６０５において、再生データが取り込まれ、書き込み制御部６０７へ再生データを送る。再生データを受け取った書き込み制御部６０７は、外部ＵＳＢデバイス６０３からのデータの再生を行っているとき、外部データ取り込み部６０５からのデータをそのままメモリ６０６に書き込む。つまりメモリ６０６へは図７の記載のように構成されたブロック単位で格納するように制御する。メモリ６０６に書き込まれたデータを読み出す際、データ判別部６１０によって、読み出したデータが図７に記載のフォーマットであることを確認することで、外部ＵＳＢデバイス６０３からの再生データと判別し、読み出し制御部６０８へ外部ＵＳＢデバイス６０３からの再生データであることを伝える。読み出し制御部６０８は、外部ＵＳＢデバイス６０３からの再生データとしてデータを読み出し、読み出されたデータから、必要なユーザデータのみを取り出すように制御を行い、圧縮デコーダ６０９で該取り出したユーザデータをデコード処理し、オーディオ出力として出力する。
【００４６】
以上のように、本実施の形態３に係る再生装置によれば、ＣＤ−ＲＯＭフォーマットのデータを再生する際、書き込み制御部６０７により、外部ＵＳＢデバイス６０３からの再生データをメモリ６０６に書き込みする制御において、外部ＵＳＢデバイス６０３に格納しているデータをそのままメモリ６０６に書き込むようにし、メモリ６０６からの読み出されたデータのフォーマットにより、ディスク６０１からの読み出しデータであるか外部ＵＳＢデバイス６０３からの読み出しデータであるかを判別するデータ判別部６１０を備え、読み出し制御部６０８によって、必要なユーザデータのみを取り出すようにしたので、光ディスク６０１からのデータを再生する機能と外部ＵＳＢデバイス６０３よりデータを再生する機能とを有するデータ再生装置を実現する場合において、前記書き込み制御部６０７による書き込み制御に余計な負荷をかける必要がなくなる効果があり、読み出し制御部６０８による読み出し制御についてもデータ判別部６１０からの判別結果から簡単に行うことが可能となる。また、読み出し制御を別プロセッサで行うようなシステムでは、書き込み制御を行うマイコンの負荷を別のプロセッサで分担して行うことが可能となり、効率のよいシステムを提供することが、可能となる効果がある。
【００４７】
なお、本実施の形態３では、外部ＵＳＢデバイスを用いた例について説明したが、これに限るものではなく、例えば、ＳＤメモリカードなど他のストレージメディア（外部メディア）を含む記憶装置で実現してもよい。
【００４８】
さらに、実施の形態３では、ＣＤ−ＲＯＭのフォーマットとして、モード１について示したが、ＣＤ−ＲＯＭのモード２のフォーマットやＣＤ−ＤＡフォーマットなどその他のフォーマットにおいても同様の効果が得られることは言うまでもない。また、ＣＤ−ＤＡフォーマットのデータを再生する場合は、実施の形態２と同様、読み出し制御部６０８で読み出された再生データは、圧縮デコーダ６０９を介さずに、オーディオ出力として出力される。
【００４９】
さらに、実施の形態３の例では、ディスクメディアとして、光ディスクを使用する場合について説明を行ったが、光磁気ディスク、磁気ディスクなどを使用するデータ再生装置であっても同様の効果が得られることは言うまでもない。
【００５０】
（実施の形態４）
本発明の実施の形態４に係るデータ再生装置について説明する。
図８は本発明の実施の形態４に係るデータ再生装置のブロック構成図を示している。
図８において、実施の形態４に係るデータ再生装置８００は、螺旋状もしくは同心円状のトラックに情報記号が記録されている光ディスク（ディスクメディア）８０１の情報面に光ビームを集光して光スポットを形成し、その反射光を検出することによって各種情報を出力する光ピックアップ８０２、オーディオ再生データが格納されている外部ＵＳＢデバイス（外部デバイス）８０３と、光ピックアップ８０２から出力された情報をもとに再生データを読み出すディスク読み出し部８０４、外部ＵＳＢデバイス８０３からの再生データを取り込む外部データ取り込み部８０５、光ディスク８０１からの再生データおよび外部ＵＳＢデバイス８０３からの再生データを一時格納しておくディスク再生時の耐震用途に使用するメモリ８０６と、ディスク読み出し部８０４からの再生データと外部データ取り込み部８０５からの再生データとを切り換えて、メモリ８０６へデータ書き込み制御を行う書き込み制御部８０７と、ディスク８０１からの再生データと外部ＵＳＢデバイス８０３からの再生データとを判別するデータ判別部８１０と、データ判別部８１０からの情報から光ディスク８０１からの再生データと外部ＵＳＢデバイス８０３からの再生データとで読み出し制御を切り換える読み出し制御部８０８と、圧縮されたオーディオデータをデコード処理し、オーディオデータとして出力させる圧縮デコーダ８０９とから構成される。
【００５１】
本実施の形態４のデータ再生装置において、光ディスク８０１、及び外部ＵＳＢデバイス８０３から読み出す再生データは、ＣＤ−ＲＯＭフォーマットのデータとしている。ＣＤ−ＲＯＭフォーマットは図９（ａ）の１サブコーディングフレームのフォーマットに示すように、ＣＤ−ＲＯＭのモード１のフォーマットとする。また、図９（ａ）中のヘッダ部９０１の４ｂｙｔｅは、図９（ｂ）に示すように、分、秒、フレームの情報各１ｂｙｔｅとモードを示す１ｂｙｔｅの情報９０２で構成されている。モードを示す１ｂｙｔｅについては、モード１の場合１が、モード２の場合２が記録されており、本実施の形態４においては、１が記録されているものとする。
【００５２】
また、書き込み制御部８０７は、外部ＵＳＢデバイス８０３からのＣＤ−ＲＯＭフォーマットの再生データをメモリ８０６に書き込みする際、図９（ｃ）に示すように、外部ＵＳＢデバイス８０３からの再生データの識別情報としてヘッダ部９０１のモードを示す１ｂｙｔｅの情報９０２のうち、最上位ｂｉｔを１に置き換えるものとする。また、書き込み制御部８０７は、光ディスク８０１からのＣＤ−ＲＯＭフォーマットの再生データをメモリ８０６に格納する際、図９（ｂ）に示すヘッダ部９０１の状態、すなわちモードを示す１ｂｙｔｅの情報９０２の最上位ｂｉｔが０の状態でメモリ８０６に格納するものとする。
【００５３】
次に、本実施の形態４に係るデータ再生装置８００の再生動作について説明する。
まず、ＣＤ−ＲＯＭフォーマットのデータが記録された光ディスク８０１からデータを再生する動作について以下に示す。
【００５４】
光ディスク８０１には、図９（ａ）および図９（ｂ）に記載のような構成のデータが記録されており、ピックアップ８０２からの出力データをディスク読み出し部８０４にて再生データの読み出しを行い、書き込み制御部８０７へ再生データを送る。再生データを受け取った書き込み制御部８０７は、光ディスク８０１のデータを再生するとき、ディスク読み出し部８０４からのデータを図９（ａ）および図９（ｂ）に記載のフォーマットそのままの状態でメモリ８０６に書き込む。メモリ８０６に書き込まれたデータを読み出す際、データ判別部８１０によって、ヘッダ９０１中のモードを示す情報９０２の最上位ｂｉｔが０であることを確認し、読み出し制御部８０８へ光ディスク８０１からの再生データであることを伝える。読み出し制御部８０８は光ディスク８０１からの再生データとして、ＣＤ−ＲＯＭ訂正処理等の制御を行い、訂正後のデータに対し、必要なユーザデータのみを取り出して、圧縮デコーダ８０９にて該取り出したユーザデータのデコードを行い、オーディオ出力として出力する。
【００５５】
次に、外部ＵＳＢデバイス８０３よりＣＤ−ＲＯＭフォーマットのデータを再生する動作について以下に示す。
外部ＵＳＢデバイス８０３には、光ディスク８０１と同じく、図９（ａ）および図９（ｂ）の記載のように構成されたデータが記録されており、外部データ取り込み部８０５において、再生データが取り込まれ、書き込み制御部８０７へ再生データを送る。再生データを受け取った書き込み制御部８０７は、外部ＵＳＢデバイス８０３からのデータ再生を行うとき、外部データ取り込み部８０５からのデータを図９（ｃ）に記載のフォーマットに変換してメモリ８０６に書き込む。そして、メモリ８０６に書き込まれたデータを読み出す際、データ判別部８１０によって、ヘッダ９０１中のモードを示す情報９０２の最上位ｂｉｔが１であることを確認し、読み出し制御部８０８へ外部ＵＳＢデバイスからの再生データであることを伝える。読み出し制御部８０８は外部ＵＳＢデバイス８０３からの再生データとして読み出しを行い、ＣＤ−ＲＯＭ訂正処理等の制御を行い、必要なユーザデータのみを取り出して、圧縮デコーダ８０９にて該取り出したユーザデータのデコードを行い、オーディオ出力として出力する。
【００５６】
また、外部ＵＳＢデバイス８０３にＣＤ−ＲＯＭ訂正後のユーザデータのみが格納されている場合は、外部データ取り込み部８０５においてユーザデータが取り込まれ、書き込み制御部８０７へユーザデータを送る。外部ＵＳＢデバイス８０３からのデータの再生を行うとき、ユーザデータを受け取った書き込み制御部８０７は、このユーザデータに識別情報を含むようにしてメモリ８０６に書き込みを行う。そしてデータ判別部８１０によって、外部ＵＳＢデバイス８０３からの再生データであることが読み出し制御部８０８に伝えられると、読み出し制御部は外部ＵＳＢデバイス８０３からの再生データとして読み出しを行い、必要なユーザデータのみを取り出して、圧縮デコーダ８０９にて該取り出したユーザデータのデコードを行い、オーディオ出力として出力する。
【００５７】
以上のように、本実施の形態４に係るデータ再生装置によれば、ＣＤ−ＲＯＭフォーマットのデータを再生する際、書き込み制御部８０７により、光ディスク８０１からの再生データの場合は、そのままのフォーマットでメモリ８０６へ格納するように制御し、外部ＵＳＢデバイス８０３からの再生データの場合は、識別情報が含まれたフォーマットに変換してメモリ８０６へ格納するように制御を行い、データ判別部８１０により、ヘッダ９０１中のモードを示す情報９０２の最上位ｂｉｔを確認することにより、光ディスク８０１からの再生データか外部ＵＳＢデバイス８０３からの再生データかを判別し、その結果を受け取って、読み出し制御部８０８がオーディオデータとしての出力を制御するようにしたので、読み出し制御部８０８で、再生データの判別を容易に行うことが可能となり、読み出し制御の負荷が軽減可能となる効果がある。
【００５８】
なお、本実施の形態４では、外部ＵＳＢデバイスを用いた例について説明したが、これに限るものではなく、ＳＤメモリカードなど他のストレージメディア（外部メディア）を含む記憶装置で実現してもよい。
【００５９】
また、本実施の形態４では、ＣＤ−ＲＯＭのフォーマットとして、モード１について示したが、ＣＤ−ＲＯＭのモード２のフォーマットやＣＤ−ＤＡフォーマットなどその他のフォーマットにおいても同様の効果が得られることは言うまでもない。また、ＣＤ−ＤＡフォーマットのデータを再生する場合は、実施の形態２と同様、読み出し制御部８０８で読み出された再生データは、圧縮デコーダ８０９を介さずに、オーディオ出力として出力される。
【００６０】
また、本実施の形態４の例では、ＣＤ−ＲＯＭのフォーマットのヘッダ９０１中のモードを示す情報９０２を識別情報として変換するようにして説明したが、これに限るものではなく、他のデータ部を識別情報に置き換えることや識別情報を付加するようにしても同様の効果が得られる。また、実施の形態４ではハードウエアで構成するようにしたが、ソフトウエアにおいて実現させても同様の効果が得られることは言うまでもない。
【００６１】
また、実施の形態４の例では、ディスクメディアとして、光ディスクを使用する場合について説明を行ったが、光磁気ディスク、磁気ディスクなどを使用するディスク再生装置であっても同様の効果が得られることは言うまでもない。
【００６２】
また、実施の形態４では、書き込み制御部８０７は、光ディスク８０１からのデータの再生を行うとき、そのままの状態でメモリ８０６に格納し、外部ＵＳＢデバイス８０３からのデータの再生を行うとき、再生データのフォーマットを識別情報が含まれるフォーマットに変換するようにしたが、これに限るものではなく、光ディスク８０１からのデータの再生を行うとき、再生データのフォーマットを識別情報が含まれるフォーマットに変換し、外部ＵＳＢデバイス８０３からのデータの再生を行うとき、そのままの状態でメモリ８０６に格納するようにしてもよく、また、光ディスクからのデータ及び外部ＵＳＢデバイス８０３からのデータをそれぞれ識別情報が含まれるフォーマットに変換するようにしてもよい。
【産業上の利用可能性】
【００６３】
本発明に係る再生装置は、ＣＤ−ＲＯＭ、ＣＤ−Ｒ、ＣＤ−ＲＷ等のディスク上に記録された再生データを再生する機能とＵＳＢデバイスやＳＤメモリカードなどの外部ストレージメディアに記録された再生データを再生する機能とを有するデータ再生装置として有用である。
【００６４】
また、光ディスクだけでなく、光磁気ディスクや磁気ディスクなどの用途にも応用することができる。
【００６５】
また、ストレージメディアだけでなく、再生データが記録されている記憶媒体の再生用途にも応用することができる。
【図面の簡単な説明】
【００６６】
【図１】図１は、本発明の実施の形態１に係るデータ再生装置の構成を示すブロック図である。
【図２】図２は、本発明の実施の形態１に係るデータ再生装置により再生されるデータのフォーマットを示す図である。
【図３】図３は、本発明の実施の形態１に係るデータ再生装置において、書き込み制御部からメモリに格納されるデータのフォーマットを示す図である。
【図４】図４は、本発明の実施の形態２に係るデータ再生装置の構成を示すブロック図である。
【図５】図５は、本発明の実施の形態２に係るデータ再生装置により再生されるデータのフォーマットを示す図である。
【図６】図６は、本発明の実施の形態３に係るデータ再生装置の構成を示すブロック図である。
【図７】図７は、本発明の実施の形態３に係るデータ再生装置により再生されるデータのフォーマットを示す図である。
【図８】図８は、本発明の実施の形態４に係るデータ再生装置の構成を示すブロック図である。
【図９】図９は、本発明の実施の形態４に係るデータ再生装置において、書き込み制御部からメモリに格納されるデータのフォーマットを示す図である。
【図１０】図１０は、従来におけるデータ再生装置を示す図である。
【符号の説明】
【００６７】
１００、４００、６００、８００  データ再生装置
１０１、４０１、６０１、８０１  光ディスク
１０２、４０２、６０２、８０２  光ピックアップ
１０３、４０３、６０３、８０３  ＵＳＢデバイス
１０４、４０４、６０４、８０４  ディスク読み出し部
１０５、４０５、６０５、８０５  外部データ取り込み部
１０６、４０６、６０６、８０６  メモリ
１０７、４０７、６０７、８０７  書き込み制御部
１０８、４０８、６０８、８０８  読み出し制御部
４０９、６０９、８０９  圧縮デコーダ
６１０、８１０  データ判別部
９０１  ヘッダ部
９０２  ヘッダ中のモードを示す情報
１０００  データ再生装置
１００１  光ディスク
１００２  光ピックアップ
１００３  ディスク読み出し部
１００４  メモリ
１００５  書き込み制御部
１００６  読み出し制御部
【図１】
0004520505.tif 000002
【図２】
0004520505.tif 000003
【図３】
0004520505.tif 000004
【図４】
0004520505.tif 000005
【図５】
0004520505.tif 000006
【図６】
0004520505.tif 000007
【図７】
0004520505.tif 000008
【図８】
0004520505.tif 000009
【図９】
0004520505.tif 000010
【図１０】
0004520505.tif 000011